(57)【要約】【課題】コイルボビンの鉄心一端をケース体内面の磁極孔に進入させ、コイルボビンの鍔部をケース体内面に当接させて、「磁気発生手段によるケース体の支柱兼用」と「磁気効率の向上」を両立する。【解決手段】磁気作用面２ａが設けられたケース体２と、ケース体２に内蔵された磁気発生手段３を有し、磁気発生手段３は、両端に鍔部４、４を設けたスプール部５の周面に電線が巻かれたコイルボビン６と、コイルボビン６の一方の鍔部４から一端部７ａが突出した状態でスプール部５内に嵌入される鉄心７を備え、鉄心７の突出した一端部７ａをケース体２の磁気作用面２ａ側の内面に形成された磁極孔８に進入させ、且つ、一方の鍔部４をケース体２の磁気作用面２ａ側の内面に当接させて、磁気作用面２ａの内面側への凹みを、磁気発生手段３で規制し、鉄心７の突出した一端部７ａを先細り状に形成し、磁気作用面２ａ側の内面の磁極孔８を開口末広がり状に形成している。【選択図】図１
2014104221.tif 000002
【特許請求の範囲】
【請求項１】
磁気作用面（２ａ）が設けられたケース体（２）と、このケース体（２）に内蔵された磁気発生手段（３）を有する高ガウス磁気治療器であって、
前記磁気発生手段（３）は、両端に鍔部（４、４）を設けたスプール部（５）の周面に電線が巻かれたコイルボビン（６）と、このコイルボビン（６）の一方の鍔部（４）から一端部（７ａ）が突出した状態でスプール部（５）内に嵌入される鉄心（７）を備え、
この鉄心（７）の突出した一端部（７ａ）を前記ケース体（２）の磁気作用面（２ａ）側の内面に形成された磁極孔（８）に進入させ、且つ、前記一方の鍔部（４）を前記ケース体（２）の磁気作用面（２ａ）側の内面に当接させて、前記磁気作用面（２ａ）の内面側への凹みを、前記磁気発生手段（３）で規制していて、
前記鉄心（７）の突出した一端部（７ａ）を先細り状に形成し、
前記磁気作用面（２ａ）側の内面の磁極孔（８）を開口末広がり状に形成していることを特徴とする高ガウス磁気治療器。
【請求項２】
前記磁気発生手段（３）における鉄心（７）の一端部（７ａ）に形成された頂面（９）が、前記ケース体（２）の磁気作用面（２ａ）側の内面における磁極孔（８）の内底面（１０）に対向していることを特徴とする請求項１に記載の高ガウス磁気治療器。
【請求項３】
前記磁気発生手段（３）は、２つのコイルボビン（６、６）を、略コ字状の鉄心（７）における鉄心胴部（１１）両端に設けた鉄心枝部（１２、１２）にそれぞれ嵌入させて構成され、
前記２つのコイルボビン（６、６）における隣接した一方の鍔部（４、４）両方を嵌合させて位置決め可能な凹部（１３）が、前記ケース体（２）における磁気作用面（２ａ）側の内面に形成されていることを特徴とする請求項１又は２に記載の高ガウス磁気治療器。
【請求項４】
前記２つのコイルボビン（６、６）で構成された磁気発生手段（３）を２つ有し、
これらの２つの磁気発生手段（３、３）における隣接した一方の鍔部（４〜４）全てを嵌合させて位置決め可能な大凹部（１４）が、前記ケース体（２）における磁気作用面（２ａ）側の内面に形成されていて、
前記大凹部（１４）を各凹部（１３、１３）に仕切るフランジ（１５）が、前記ケース体（２）における磁気作用面（２ａ）側の内面から突出状に形成されていることを特徴とする請求項３に記載の高ガウス磁気治療器。
【発明の詳細な説明】
【技術分野】
【０００１】
本発明は、磁気作用面を有するケース体に内蔵された磁気発生手段を備え、磁気によって血行を良くし、人（動物）の健康増進などに用いられる高ガウス磁気治療器に関する。
【背景技術】
【０００２】
従来、複数の電磁石を備えて、血液の循環を促進させる電磁気健康促進器が知られている（特許文献１参照）。
この電磁気健康促進器は、複数の電磁石と、複数の電磁石のうちの少なくとも一つの電磁石のコイルに加える電流または電圧を可変し、かつ、複数の電磁石のうちの他の少なくとも一つの電磁石のコイルに一定の強度の電流または電圧を供給し得る磁力制御手段と、磁気発生部分を覆う平面状保護板を有し、当該平面状保護板の内側であって複数の電磁石の磁力が人体に効果的に照射される磁気発生部分の位置に複数の電磁石を配置してなるボックスとを備えている。
【先行技術文献】
【特許文献】
【０００３】
【特許文献１】特開２００４−３２９５８４号公報
【発明の概要】
【発明が解決しようとする課題】
【０００４】
しかしながら、特許文献１に記載された電磁気健康促進器は、面状保護板のボックス内面側と各電磁石との間に配置された面状発熱体と、面状発熱体と各電磁石との間に配置され面状発熱体を覆う断熱材も備えている。
すなわち、この電磁気健康促進器では、電磁石からの磁気は、断熱材、面状発熱体、平面状保護板の３層を透過しなくては人体に届かず、磁力は距離の２乗に反比例するため、磁気発生の効率が、非常に悪い。
更に、特許文献１の電磁気健康促進器では、電磁石とボックス上面部との間に、隙間が存在する（特許文献１の図７、８）。従って、広いボックス上面部に使用者が凭れ掛かる等により、ボックス上面部が凹む虞があり、別途、シールド板が必須となるため、部品点数の増大、高重量化を招く。
【０００５】
本発明は、このような点に鑑み、コイルボビンの鍔部から突出した鉄心一端部をケース体の磁気作用面側の内面に形成された磁極孔に進入させ、且つ、当該鍔部をケース体の内面に当接させて、磁気作用面の凹みを磁気発生手段で規制することで、「磁気発生手段によるケース体の支柱兼用」と「磁気効率の向上」を両立できると共に、突出した鉄心一端部を先細り状に形成し、磁気作用面側の内面の磁極孔を開口末広がり状に形成することで、位置決め許容範囲の拡張も可能となった高ガウス磁気治療器を提供することを目的とする。
【課題を解決するための手段】
【０００６】
本発明に係る高ガウス磁気治療器１は、磁気作用面２ａが設けられたケース体２と、このケース体２に内蔵された磁気発生手段３を有する高ガウス磁気治療器であって、前記磁気発生手段３は、両端に鍔部４、４を設けたスプール部５の周面に電線が巻かれたコイルボビン６と、このコイルボビン６の一方の鍔部４から一端部７ａが突出した状態でスプール部５内に嵌入される鉄心７を備え、この鉄心７の突出した一端部７ａを前記ケース体２の磁気作用面２ａ側の内面に形成された磁極孔８に進入させ、且つ、前記一方の鍔部４を前記ケース体２の磁気作用面２ａ側の内面に当接させて、前記磁気作用面２ａの内面側への凹みを、前記磁気発生手段３で規制していて、前記鉄心７の突出した一端部７ａを先細り状に形成し、前記磁気作用面２ａ側の内面の磁極孔８を開口末広がり状に形成していることを第１の特徴とする。
【０００７】
本発明に係る高ガウス磁気治療器１の第２の特徴は、上記第１の特徴に加えて、前記磁気発生手段３における鉄心７の一端部７ａに形成された頂面９が、前記ケース体２の磁気作用面２ａ側の内面における磁極孔８の内底面１０に対向している点にある。
【０００８】
本発明に係る高ガウス磁気治療器１の第３の特徴は、上記第１又は２の特徴に加えて、前記磁気発生手段３は、２つのコイルボビン６、６を、略コ字状の鉄心７における鉄心胴部１１両端に設けた鉄心枝部１２、１２にそれぞれ嵌入させて構成され、前記２つのコイルボビン６、６における隣接した一方の鍔部４、４両方を嵌合させて位置決め可能な凹部１３が、前記ケース体２における磁気作用面２ａ側の内面に形成されている点にある。
【０００９】
本発明に係る高ガウス磁気治療器１の第４の特徴は、上記第３の特徴に加えて、前記２つのコイルボビン６、６で構成された磁気発生手段３を２つ有し、これらの２つの磁気発生手段３、３における隣接した一方の鍔部４〜４全てを嵌合させて位置決め可能な大凹部１４が、前記ケース体２における磁気作用面２ａ側の内面に形成されていて、前記大凹部１４を各凹部１３、１３に仕切るフランジ１５が、前記ケース体２における磁気作用面２ａ側の内面から突出状に形成されている点にある。
【００１０】
これらの特徴により、磁気発生手段３が、両端に鍔部４、４を設けたスプール部５の周面に電線が巻かれたコイルボビン６と、一方の鍔部４から一端部７ａが突出した状態でスプール部５内に嵌入される鉄心７を備え、鉄心７の突出した一端部７ａをケース体２の磁気作用面２ａ側の内面に形成された磁極孔８に進入させ、且つ、一方の鍔部４を磁気作用面２ａ側の内面に当接させて、磁気作用面２ａの凹みを磁気発生手段３で規制することで、磁気発生手段３を、ケース体２の磁気作用面２ａを支える支柱として兼用できると同時に、鉄心７の一端（磁気の放出端）を、突出した分（磁極孔８に進入した分）だけ、人体により近接させることが可能となって、磁気発生の効率が向上できる。
つまり、「磁気発生手段によるケース体の支柱兼用」と「磁気効率の向上」の両立が実現できる。
更に、鉄心７の突出した一端部７ａを先細り状に形成することで、磁気の放出端からの磁束密度が上がり、その結果、放出される磁力（ガウス）が高まると共に、磁気作用面２ａ側の内面の磁極孔８を開口末広がり状に形成することで、この磁極孔８における傾斜した末広がり状の内周面８ａが、先細り状の鉄心７の突出した一端部７ａにおける傾斜面に沿うこととなる。
従って、磁極孔８が末広がりでない（つまり、磁極孔８の内周面８ａが鉛直方向に向く）、と共に、鉄心７の突出した一端部７ａが先細りでない（つまり、突出した一端部７ａの側面も鉛直方向を向く）場合と比べて、本発明の方が、鉄心７の突出した一端部７ａが磁極孔８に進入させ、且つ、一方の鍔部４を磁気作用面２ａ側の内面に当接した状態を保ったままで、ケース体２に対して磁気発生手段３をずらせる許容範囲が広がることとなり、高ガウス磁気治療器１の組立時の位置決め許容範囲が広がり、組立の容易化が図れる。
【００１１】
又、鉄心７の一端部７ａに形成された頂面９を、磁気作用面２ａ側の内面における磁極孔８の内底面１０に対向させることで、鉄心７の一端部７ａを先細り状にしたとしても、鉄心７の一端部７ａで尖った部分（例えば、頂面９とその他の面を分ける縁部）で、ケース体２の磁気作用面２ａ側を突き抜ける等を抑制できると共に、鉄心７の一端部７ａの頂面９が、対向する磁極孔８の内底面１０に当接して、頂面９と内底面１０との間でも、ケース体２の磁気作用面２ａを支えられる。
【００１２】
そして、磁気発生手段３が、２つのコイルボビン６、６を略コ字状の鉄心７に嵌入させて構成され、２つのコイルボビン６、６の鍔部４、４を位置決め可能な凹部１３が、磁気作用面２ａ側の内面に形成されることで、複数の磁気発生手段３を同時に、支柱兼用位置に配設でき、ケース体２の強度を確保しながら、組立のさらなる容易化が図れる。
【００１３】
これに加えて、２つの磁気発生手段３、３の鍔部４〜４を位置決め可能な大凹部１４を、フランジ１５で、各凹部１３、１３に仕切ることで、合計４つのコイルボビン６〜６を用いる場合であっても、容易な位置決めが出来ると共に、内面から突出したフランジ１５によって、ケース体２における磁気作用面２ａの強度向上も同時に可能となる。
【発明の効果】
【００１４】
本発明に係る高ガウス磁気治療器によると、コイルボビンの鍔部から突出した鉄心一端をケース体の磁気作用面側の内面に形成された磁極孔に進入させ、且つ、当該鍔部をケース体の内面に当接させて、磁気作用面の凹みを磁気発生手段で規制すると共に、突出した鉄心一端部を先細り状に形成し、磁気作用面側の内面の磁極孔を開口末広がり状に形成することで、「磁気発生手段によるケース体の支柱兼用」と「磁気効率の向上」の両立、及び、ケース体に対する磁気発生手段の位置決め許容範囲の拡張が同時に実現できる。
【図面の簡単な説明】
【００１５】
【図１】（ａ）は本発明の第１実施形態に係る高ガウス磁気治療器を示す斜視図であり、（ｂ）は高ガウス磁気治療器の断面を示す斜視図である。
【図２】（ａ）は第１実施形態の高ガウス磁気治療器の下ケース体と磁気発生手段を示す斜視図であり、（ｂ）は下ケース体に支持された磁気発生手段を示す斜視図である。
【図３】（ａ）は第１実施形態の上ケース体と磁気発生手段を示す斜視図であり、（ｂ）は上ケース体に当接した磁気発生手段を示す斜視図である。
【図４】（ａ）は本発明の第２実施形態に係る高ガウス磁気治療器の下ケース体と磁気発生手段を示す斜視図であり、（ｂ）は下ケース体に支持された磁気発生手段を示す斜視図である。
【図５】（ａ）は第２実施形態の上ケース体と磁気発生手段を示す斜視図であり、（ｂ）は上ケース体に当接した磁気発生手段を示す斜視図である。
【発明を実施するための形態】
【００１６】
以下、本発明の実施形態を、図面を参照して説明する。
＜第１実施形態＞
図１〜３には、本発明の第１実施形態に係る高ガウス磁気治療器１が示されている。
この高ガウス磁気治療器１は、磁気作用面２ａを有したケース体２と、このケース体２に内蔵された磁気発生手段３と、この磁気発生手段３に電流を供給するコード・電線等の供給手段（図示せず）を有している。
【００１７】
＜ケース体２＞
本発明におけるケース体２は、珪素樹脂、ナイロン（ポリアミド）ポリマー等の合成樹脂や、ポリアセタール、ポリカーボネート等のエンジニアリングプラスチックで構成され、その形状は、略直方体状であって、その厚み方向中途部から、略水平方向に平板（後述の平板部２３）が延設されている。更に、ケース体２は、上下分割可能であって、下ケース体２１と上ケース体２２を備えている。
【００１８】
＜下ケース体２１＞
図１、２で示した如く、下ケース体２１は、２つのコイルボビン６、６を有する磁気発生手段３を下方から支える容器状で且つ平面視略長方形の部材であって、その一対の長辺における外側面の上端部から、略水平方向に延びる平板部２３、２３が（前後）一対に設けられている。
この平板部２３も、平面視で略長方形状であって、その角部に厚み方向を貫通する孔（ネジ等が通る丸孔２３ａや、ベルト等の帯状部材が通る長孔２３ｂ）等が設けられていても良い。
【００１９】
下ケース体２１の内底面には、磁気発生手段３、特に、後述する鉄心７の略角柱状の鉄心胴部１１を位置決め保持する（左右）一対の係止片２４、２４が立設されている。
この一対の係止片２４、２４は、それぞれが平面視で略コ字状であって、各係止片２４は、係止片胴部２４ａの両端に設けた係止片枝部２４ｂ、２４ｂが、互い向き合うように配備されている。
従って、これら各係止片２４間に、鉄心胴部１１を載置すれは、磁気発生手段３が所定位置で支持され、つまり、磁気発生手段３が下方に移動しないよう下支えされ、この下支えされた所定位置において、磁気発生手段３上面側の鉄心７の突出した一端部７ａが、上ケース体２２内面の磁極孔８に対応する位置となる。
【００２０】
尚、下ケース体２１の内底面における四隅には、固定筒体が立設しており、上ケース体２２の後述する固定孔に挿通されるネジ等によって、上下ケース体２１、２２が一体固定される。
又、上下ケース体２1 、２２を一体固定するのであれば、これら固定筒体や固定孔、ネジ等の構成に限定されず、嵌め合いや接着等で一体固定しても良い。
【００２１】
＜上ケース体２２＞
図１、３で示した如く、上ケース体２２は、２つのコイルボビン６、６を有する磁気発生手段３の上方に被さる蓋状で且つ平面視略長方形の部材である。
この上ケース体２２の外上面がケース体２における平面状の磁気作用面２ａを構成している。
【００２２】
尚、この  磁気作用面２ａは、必ずしも平面でなくとも良く、使用者の腰部や肩部、腕、脚等の形状にあわせて、窪みが形成された曲面であっても、このような曲面と平面の両方から成る面であっても良い。
この磁気作用面２ａでは、略８字図形が大小で同心状に配置された突条が、磁力線をイメージした模様を形成している。
但し、この模様は、同心円又は一重円のみで構成されたものであったり、形成されていなくても良い。
【００２３】
上ケース体２２の内上底面（つまり、ケース体２における磁気作用面２ａ側の内面）には、磁気発生手段３における鉄心７の突出した一端部７ａがそれぞれ進入可能な（左右）一対の磁極孔８、８が形成されている。
これら各磁極孔８は、底面（内底面１０）が略平坦で略水平である。
更に、磁極孔８は、平面視で略円形であり、この円形の略中心に、下ケース体２１の係止片２４、２４で位置決めされた磁気発生手段３の鉄心７の突出した一端部７ａ（特に、一端部７ａの頂面９）に位置する。
又、磁極孔８の深さは、鉄心７の一端部７ａが、コイルボビン６の一方の鍔部４から突出した長さと、略一致している。
【００２４】
これに加えて、磁極孔８における内周面８ａは、内底面１０から開口端側に近づくほど直径が広がる開口末広がり状（つまり、下方へいくほど直径が広がる下方末広がり状）に形成されている。
この開口末広がり状の内周面８ａは、先細り状の鉄心７の突出した一端部７ａにおける傾斜面に沿うこととなる。
尚、この傾斜面と、内周面８ａの傾斜を略同一としても良い。
【００２５】
更に、上ケース体２２における磁気作用面２ａ側の内面（内上底面）には、２つの磁気発生手段３における２つのコイルボビン６、６の隣接した一方の鍔部４、４両方を嵌合させて位置決め可能な凹部１３も、形成されている。
この凹部１３は、平面視において、略長方形であって、隣接した２つの鍔部４、４両方を外側から囲うように、窪んでいる。
このように窪んだ凹部１３に、隣接した２つの鍔部４、４両方をあてがえば、磁気発生手段３における鉄心７の突出した一端部７ａが、それぞれ磁極孔８に対応する位置となる。
このように、２つのコイルボビン６、６の鍔部４、４を位置決め可能な凹部１３を、磁気作用面２ａ側の内面に形成することで、複数の磁気発生手段３を同時に、位置決め（つまり、支柱兼用位置に配設）でき、ケース体２の強度を確保しながら、組立が容易となる。
【００２６】
尚、上ケース体２２の内上底面には、四隅を貫通する固定孔が設けられており、この固定孔を通るネジ等が、下ケース体２１の固定筒体に螺合することによって、上下ケース体２１、２２が一体固定されることとなる。
当然、上述したように、上下ケース体２１、２２の一体固定は、固定できるのであれば、ネジ等による固定手段に限定されない。
【００２７】
＜磁気発生手段３＞
図１〜３に示したように、本発明における磁気発生手段３は、電磁石である２つのコイルボビン６、６と、この２つのコイルボビン６、６に嵌入される略コ字状の鉄心７を備えている。
【００２８】
＜コイルボビン６＞
磁気発生手段３におけるコイルボビン６は、珪素樹脂、ナイロン（ポリアミド）ポリマー等の合成樹脂や、ポリアセタール、ポリカーボネート等のエンジニアリングプラスチックで構成され、鉄心７を内部に嵌入可能なスプール部５と、同じく合成樹脂で構成され、このスプール部５の両端（上端、下端）に設けられた鍔部４、４と、スプール部５の外周面に巻回された電線を備えている。
コイルボビン６におけるスプール部５は、断面略正方形の角筒状部材であって、この筒内の断面形状・断面積は、鉄心７（鉄心枝部１２）の断面形状・断面積より若干大きいか又は略同一である。
従って、スプール部５が、嵌め合いや両面テープ、接着剤等によって、鉄心７（鉄心枝部１２）に固定されることなる。
尚、スプール部５は、略コ字状の鉄心７を介して、ケース体２に対して、その上下方向にスプール部５の軸心が沿うように配置される。
【００２９】
コイルボビン６における鍔部４は、スプール部５の上下端に一体的に設けられた一対の略正方形の平板状部材であって、各鍔部４は、スプール部５の軸心に直交する、つまり、それぞれの上下面が略水平方向に向くように配設される。
ここで、一対の鍔部４、４のうち、スプール部５の上端に設けられた一方の鍔部４（上鍔部４ａ）は、上述したように、上ケース体２２の内上底面（磁気作用面２ａ側の内面）に当接配置される。
一方、一対の鍔部４、４のうち、スプール部５の下端に設けられた他方の鍔部４（下鍔部４ｂ）は、略コ字状の鉄心７における鉄心胴部１１上面に当接することによって、鉄心７に対するコイルボビン６の位置決めをし、鉄心枝部１２のスプール部５内への嵌入深さ、つまり、上鍔部４からの鉄心７の突出した一端部７ａの突出長さを規定する。
【００３０】
尚、下鍔部４ｂにおいて対応する一対の側端面（前後面、左右面）には、電線をスプール部５に巻き始め又は巻き終りに、その電線を絡げる掛止ピンが設けられていても良く、その掛止ピンに電線を絡げる際に、その電線を案内可能な案内溝が設けられていても良い。
又、掛止ピンは、一対の側端面に所定間隔をおいて、２本ずつ設けられていても良く、この場合には、スプール部５に対して、左右どちらの方向でも巻線が対応可能（巻回しする電線の方向を、右巻きでも左巻きでも可能）となり、作業の自由度が増し、作業工程も軽減した整列巻きが出来る。
【００３１】
更には、掛止ピンが一対の側端面に２本ずつ設けられている場合には、２つの掛止ピンの間（略中間位置）に、電線を引っ掛けて巻く向きを変える凸部を設けていても良い。
これに加えて、掛止ピンが一対の側端面に２本ずつ設けられている場合に、一方の側端面に設けられた２本の掛止ピン間の距離を、他方の側端面に設けられた２本の掛止ピン間の距離より小さく又は大きく設定しても良い。
【００３２】
コイルボビン６における電線は、銅をはじめ、銀、金、アルミ等の電流を流し得るものであれば、素材、線種は何れであっても構わない。
この電線をスプール部５に巻く際には、手巻きや、巻線器等など、何れであっても構わない。尚、巻線器を利用して整列巻回しをする場合には、ある程度電線にテンションをかけて、電線を張った状態でないと綺麗な整列巻きが出来ないため、巻き始め及び巻き終りの電線を、テープで仮止めしたり、上述の掛止ピンに絡げても良い。
【００３３】
＜鉄心７＞
図１〜３に示した如く、磁気発生手段３における鉄心７は、略コ字状に形成されており、略角柱状の鉄心胴部１１と、この鉄心胴部１１の両端（左右両端）に設けられた鉄心枝部１２、１２を備えている。
つまり、長手方向を有する鉄心胴部１１の左右両端から、この鉄心胴部１１の長手方向と直交し且つ上方向に、それぞれの鉄心枝部１２が延伸して、略コ字状（馬蹄状）を成している。
尚、鉄心７は、軟鉄などの薄板を所定の形にくり抜いて、重ね合せて一定の厚みを持たせるように構成されている。
【００３４】
又、各鉄心枝部１２の上端部（突出した鉄心７の一端部）７ａは、先細り状で、その最先端に頂面９を有し、この頂面９から根元に向け徐々に太くなるよう形成されている。
更に、この上端部７ａの形状は、鉄心７の正面視だけでなく、側面視においても、先細るよう構成されている。
そこで、まずは、各鉄心枝部１２の上端部７ａにおける正面視の構成を述べる。
【００３５】
鉄心枝部１２の上端部７ａを正面から見るとは、略平坦で略水平状の頂面９と、この頂面９に連なる垂直面３１と、この垂直面３１の反対側に位置する傾斜部３２を備えている。
上端部７ａにおける垂直面３１は、左右一対の鉄心枝部１２、１２が互いに向かい合う側（内側）に設けられており、鉄心胴部１１の上面両端から上方へ連続して延びる垂直な面である。
【００３６】
上端部７ａにおける傾斜部３２は、左右一対の鉄心枝部１２、１２で互いに向かいあっていない側（外側）に設けられており、この外側から各鉄心枝部１２が近づく側につれて高くなる向きに傾斜している。
更に、傾斜部３２は、各鉄心枝部１２の内側に位置する上段の上傾斜面３３と、この上傾斜面３３より各鉄心枝部１２外側に位置する下段の下傾斜面３４と、これら２つの傾斜面３３、３４の間に位置する平坦面３５を備えている。
【００３７】
尚、上端部７ａを正面から見た際の形状は、上述のように、上傾斜面３３、下傾斜面３４、平坦面３５を備えていなくとも良く、例えば、間の平坦面３５を有さず、上傾斜面３３と下傾斜面３４が連続して１つの傾斜部（傾斜面）３２を構成していたり、上傾斜面３３と平坦面３５だけで傾斜部３２を構成し、下傾斜面３４を有さない場合など、先細り形状であれば、種々の形状を採用できる。
【００３８】
一方、各鉄心枝部１２の上端部７ａにおける側面視では、鉄心７を構成する薄板を、鉄心枝部１２の長いものと短いもの２種類用い、鉄心７の厚み方向（側面視）においても先細るよう構成されている。
つまり、側面視における尖った部分は、鉄心枝部１２が長い薄板を数枚積層したものを、鉄心枝部１２が短い薄板を数枚積層したもので前後から挟むことで、構成している。
尚、この側面視における尖った部分（鉄心枝部１２が長い薄板を数枚積層したものの上端部）の厚みは、当然、鉄心胴部１１など鉄心７における他の部分（鉄心枝部１２が長い積層体を、鉄心枝部１２が短い積層体で挟んだ部分）より薄く、例えば、他の部分の厚みの１／３以上２／３以下となっている。
【００３９】
このように、鉄心７の突出した上端部７ａを先細り状に形成することで、磁気の放出端からの磁束密度が上がり、その結果、放出される磁力（ガウス）が高まる。
つまり、コイルボビン６の電線に通電した際に、鉄心７内に発生した磁束が、尖った上端部７ａから出ていくとき、より狭い空間を通るので、その空間内の磁束密度が高くなって、磁界内での磁力（ガウス）が高くなる。
また、上端部７ａの傾斜した傾斜部３２からは磁力線が放射されず、小さく尖った部分の先端に設けられた頂面９から全ての磁力線が出ていくので、磁力線が小さい面積の頂面９から集中して放射されることでも、磁力が高まる。
尚、コイルボビン６の電線に流す電流は、所定の周波数（例えば、５０Ｈｚ、６０Ｈｚ又はこれら以外の周波数）、振幅の交流電流としても良く、この場合には、コイルボビンからは、周波数によって磁極性が切り替わりながら磁束密度が時間的に変化する交流磁場が発生する。
更に、コイルボビン６の電線に流す電流は、所定の周期で所定値の電流が間欠的に流れるパルス電流、例えば、瞬時に立ち上がりややなだらかに立ち下がるという、三角形状の波形をしたパルス電流を流しても良く、この場合には、正弦波状のなだらかな波形をした交流電流よりも磁束変化が大きくなる。又、パルス電流は、正なら正だけ、負なら負だけの電流が間欠的に発生するので、交流電流のように、正の電流と負の電流が交互に流れる場合よりも、磁束の変化が相殺され難い。
【００４０】
これに加えて、先細り状の鉄心７の突出した上端部７ａは、磁気作用面２ａ側の内面に形成された開口末広がり状の磁極孔８において、傾斜した内周面８ａが、先細り状の鉄心７の突出した上端部７ａにおける傾斜面に沿うこととなる。
従って、磁極孔８が末広がりでない（つまり、磁極孔８の内周面８ａが鉛直方向に向く）、と共に、鉄心７の突出した上端部７ａが先細りでない（つまり、突出した上端部７ａの側面も鉛直方向を向く）場合と比べて、本発明の方が、鉄心７の突出した上端部７ａが磁極孔８に進入させ、且つ、一方の鍔部４を磁気作用面２ａ側の内面に当接した状態を保ったままで、ケース体２に対して磁気発生手段３をずらせる許容範囲が広がることとなり、高ガウス磁気治療器１の組立時の位置決め許容範囲が広がり、組立の容易化が図れる。
【００４１】
尚、鉄心７の突出した上端部７ａの上傾斜面３３を、磁極孔８の内周面８ａの傾斜を略同一とすれば、上端部７ａにおける上傾斜面３３は、磁極孔８の内周面８ａと対向することとなる。
従って、鉄心７の突出した上端部７ａにおける傾斜面を、磁極孔８の内周面８ａに当接でき、ケース体２に対して磁気発生手段３をずらせる許容範囲が、可及的に広がる。
【００４２】
又、鉄心７の上端部７ａに形成された頂面９は、略平坦で略水平であり、磁気作用面２ａ側の内面における磁極孔８の内底面１０も、同様に、略平坦で略水平であるため、上端部７ａの頂面９と、磁極孔８の内底面１０は、対向している。
よって、鉄心７の上端部７ａで尖った部分（例えば、頂面９と上傾斜面３３を分ける縁部）で、ケース体２の磁気作用面２ａ側を突き抜けること等を抑制できると共に、鉄心７の一端部７ａの頂面９が、対向する磁極孔８の内底面１０に当接して、頂面９と内底面１０との間でも、ケース体２の磁気作用面２ａを支えられる。
【００４３】
ここまで述べた構成を持つ本発明は、磁気発生手段３における鉄心７の突出した上端部７ａを、上ケース体２２の磁気作用面２ａ側の内面に形成された磁極孔８に進入させる一方で、これと同時に、上鍔部４ａを、上ケース体２２の磁気作用面２ａ側の内面に当接させるからこそ、磁気作用面２ａの内面側への凹みを、磁気発生手段３で規制できる。
これは、つまり、磁気発生手段３を、ケース体２の磁気作用面２ａを支える支柱として兼用しており、この支柱兼用と同時に、鉄心７の一端（磁気の放出端）を、突出した分（磁極孔８に進入した分）だけ、人体により近接させることが可能となって、磁気発生の効率が向上できる。
つまり、「磁気発生手段によるケース体の支柱兼用」と「磁気効率の向上」の両立が実現できる。
尚、第１実施形態におけるケース体２は、手のひらに乗るサイズであっても良く、この場合、例えば、ケース体２の平板部２３（例えば、厚み方向に貫通する長孔２３ｂ）等に帯状部材を取り付けて（挿通して）ベルト型とすることで、人体の一部（膝、腰、肩など）に当て易く、集中してピンポイントで磁気を部分的に作用させることが容易となる。
【００４４】
＜第２実施形態＞
図４、５には、本発明の第２実施形態に係る高ガウス磁気治療器１が示されている。
この第２実施形態において第１実施形態と最も異なるのは、コイルボビン６の数が、２倍の４つである点である。
詳解すれば、第２実施形態は、２つのコイルボビン６、６を、略コ字状の鉄心７にそれぞれ嵌入させて構成された磁気発生手段３を２つ（２組）有している。
【００４５】
このように、第２実施形態が４つのコイルボビン６（２つの磁気発生手段３）を有するため、第２実施形態では、上ケース体２２で磁気発生手段３を位置決めする凹部が、第１実施形態よりも大きい。
つまり、第２実施形態は、２つの磁気発生手段３における４つのコイルボビン６〜６の前後左右で隣接した一方の鍔部４〜４全てを嵌合させて位置決め可能な大凹部１４が、ケース体２における磁気作用面２ａ側の内面に形成されている。
更に、第２実施形態の大凹部１４には、この大凹部１４自体を、各磁気発生手段３用の各凹部１３に仕切るように形成されたフランジ１５を有している。
【００４６】
＜フランジ１５＞
図５で示した如く、第２実施形態におけるフランジ１５は、２組の磁気発生手段３、３の鍔部４〜４を位置決め可能で且つ平面視で略正方形状の大凹部１４の内底面（磁気作用面２ａ側の内面）から内方突出状に形成されている。
フランジ１５は、所定間隔をあけて形成された一対の突条であって、略正方形状の大凹部１４を略半分に分ける位置に設けられており、略正方形状の（４つの縁部を有した）大凹部１４における１つの縁部１４ａの略中央位置と、当該縁部１４ａに対向する位置にある縁部１４ｂの略中央位置を結んでいる。
このように、大凹部１４を均等に分けることで、合計４つのコイルボビン６を用いる場合であっても、各磁気発生手段３ごとに、容易な位置決めが出来る。
【００４７】
尚、フランジ１５の突出高さは、大凹部１４の深さと略同一であって、フランジ１５の突出端面（下端面）は、上ケース体２２における磁気作用面２ａ側の内面であって大凹部１４以外の部分と略同じ高さ位置（略面一条）である。
このような、フランジ１５があることで、ケース体２の上面（磁気作用面２ａ）に荷重がかかった（下方に向けて押圧された）場合であっても、磁気作用面２ａの下方移動、つまり、内面側への凹みを抑えることが出来る。
【００４８】
よって、第２実施形態は、このフランジ１５によって、４つのコイルボビン６の容易な位置決めと同時に、ケース体２における磁気作用面２ａの強度向上も可能となる。
尚、フランジ１５で大凹部１４を仕切って構成された各凹部１３では、各磁気発生手段３の隣接する上鍔部４ａ、４ａを、各凹部１３（大凹部１４）の縁とフランジ１５にあてがえば、磁気発生手段３における鉄心７の突出した上端部７ａが、各凹部１３のそれぞれの磁極孔８に対応する位置にくる。
【００４９】
図４に示した如く、このフランジ１５の他に、第２実施形態は、下ケース体２１の内底面から大幅に上方へ隆起した上底部４１を備えている。
この上底部４１の上方隆起の度合いによって、ケース体２の厚みを調節でき、例えば、基板に固定されたクッション部材と、このケース体２の厚みを略同じにすることで、本発明の高ガウス磁気治療器１を基板に取り付け、その周辺をクッション部材で囲めば（所定の広がりを持ったシートクッション型にすれば）、このクッション部材のクッション面と、磁気作用面２ａが略面一となる。
更に、様々な厚み・大きさのケース体２に、磁気発生手段３を内蔵させる場合であっても、各ケース体２の厚みの差は、上底部４１の隆起によって相殺し、各ケース体２に用いる磁気発生手段３の構成（上下高さ等）を共通化でき、コストの低減に繋がる。
これに加えて、第２実施形態は、各磁気発生手段３（鉄心胴部１１）と下ケース体２１（係止片２４、２４間）に挟まれて配置され、それぞれの磁気発生手段３を上方へ付勢する一対のバネ板４４、４４を有している。
【００５０】
又、図４、５に示した如く、下ケース体２１における対向する側面に、略矩形状に下方に切り込まれた一対の切欠部４２、４２が設けられて、この一対の切欠部４２、４２の上ケース体２２の側面における対応位置に、下方突出した一対の突出片４３、４３が設けられている。
尚、各突出片４３の先端外面には、突出片４３の他の部分より厚い位置から、突出片４３の先端に近づくにつれて厚み方向に先細る鉤部４３ａが設けられて、更に、この鉤部４３ａが、ケース体２の内面側に移動する方向に、各突出片４３は、撓むことが出来る。
【００５１】
従って、上述の切欠部４２、４２に、突出片４３、４３を進入させた状態で、上下ケース体２１、２２を一体固定することで、側面部に出退可能な鉤部４３ａを設けたケース体２を構成できる。
この構成であれば、例えば、このケース体２に嵌合可能な枠や凹みに対して、鉤部４３ａ、４３ａが係止して抜止めとなると同時に、突出片４３、４３を押圧することによって、鉤部４３ａ、４３ａをケース体２の中に押し込み、係止を解除して枠や凹みから取り外すことが出来る。
尚、上述の突出片４３、４３は、その両側の根元から、上ケース体２２の側面を細く切れ込んだ切込みを設けていても良く、この場合、突出片４３が更に撓み、鍵部４３ａの出退距離が長くなる。
【００５２】
又、上述のように、第２実施形態は、嵌合する枠や凹みなどの周囲を、クッション部材としたシートクッション型であっても良く、この場合には、例えば、１つのクッション部材に対して複数の高ガウス磁気治療器１を備えた磁気治療器としたり、高ガウス磁気治療器１を備えたクッション部材を、他のクッション部材（高ガウス磁気治療器１の有無を問わず）を、２つ、３つ又は４つ以上を連結させた磁気治療器としても構わない。
このように、シートクッション型とすることで、人体からの荷重を所定の広さで支えながら、広範囲に亘って人の全身に磁気を作用させることが可能となると共に、高ガウス磁気治療器１を備えたクッション部材等を連結した磁気治療器であれば、床等の平坦面上や椅子やソファなどの形状に応じて変形し、床や椅子等の上に広げることが可能となる。
その他の高ガウス磁気治療器１の構成、作用効果及び使用態様は、第１実施形態と同様である。
【００５３】
本発明は、前述した実施形態に限定されるものではない。高ガウス磁気治療器１等の各構成又は全体の構造、形状、寸法などは、本発明の趣旨に沿って適宜変更することが出来る。
ケース体２は、上述のように、下ケース体２１と上ケース体２２の上下に分割されたが、コイルボビン６の鍔部４から突出した鉄心７の一端部７ａを磁気作用面側２ａ内面の磁極孔８に進入させ、且つ、鍔部４をケース体２の内面に当接させて、磁気作用面２ａの凹みを磁気発生手段３で規制できるのであれば、いずれの構成であっても良く、上面の部分（磁気作用面２ａの部分）のみが、着脱自在であったり、前後方向又は左右方向が開口し、横から磁気発生手段３をケース体２内に入れた後、横蓋で開口を閉じる構成であっても構わない。
【００５４】
磁気発生手段３におけるコイルボビン６は、上述では、２つであったり、合計で４つであるが１つや３つ、更には、５つ以上であっても良い。
鉄心７は、嵌入するコイルボビン６の一方の鍔部４から、突出する部分（一端部７ａ）があるのであれば、略コ字状でなくとも良く、１つのコイルボビン６に嵌入する棒状の鉄心（１本棒）であったり、略Ｅ字状であっても良い。
ケース体２の磁気作用面２ａ側の内面における磁極孔８の内底面１０と、磁気発生手段３における鉄心７の上端部７ａに形成された頂面９は、上述では、対向していたが、コイルボビン６の一方の鍔部４（上鍔部４ａ）が、ケース体２の磁気作用面２ａ側の内面に当接しているため、磁極孔８の内底面１０と、上端部７ａの頂面９は、必ずしも、対向していなくても良い。
ケース体２やコイルボビン６の素材は、合成樹脂、エンジニアリングプラスチックに限らず、上述した構成となるのであれば、繊維強化プラスチック、陶器、木材などの素材でも良い。
【産業上の利用可能性】
【００５５】
本発明に係る高ガウス磁気治療器１は、磁気によって人体の血行を良くするだけでなく、犬や猫等の動物全般などに対しても、磁気によって血行を良くし、人及び動物（ペット）の健康増進を図り、人及び動物用の医療、美容、理容、健康分野に利用できる。
【符号の説明】
【００５６】
１      高ガウス磁気治療器
２      ケース体
２ａ    ケース体の磁気作用面
３      磁気発生手段
４      コイルボビンの鍔部
５      コイルボビンのスプール部
６      コイルボビン
７      鉄心
７ａ    鉄心の突出した一端部
８      磁極孔
９      鉄心の頂面
１０    磁極孔の内底面
１１    鉄心胴部
１２    鉄心枝部
１３    ケース体の内面の凹部
１４    ケース体の内面の大凹部
１５    フランジ
【図１】
2014104221.tif 000003
【図２】
2014104221.tif 000004
【図３】
2014104221.tif 000005
【図４】
2014104221.tif 000006
【図５】
2014104221.tif 000007
【手続補正書】
【提出日】平成25年1月28日(2013.1.28)
【手続補正１】
【補正対象書類名】特許請求の範囲
【補正対象項目名】全文
【補正方法】変更
【補正の内容】
【特許請求の範囲】
【請求項１】
磁気作用面（２ａ）が設けられたケース体（２）と、このケース体（２）に内蔵された磁気発生手段（３）を有する高ガウス磁気治療器であって、
前記ケース体（２）は、外上面が前記磁気作用面（２ａ）を構成した平面視略長方形の上ケース体（２２）と前記磁気発生手段（３）を下支えする平面視略長方形の下ケース体（２１）で略直方体状に形成され、その厚み方向中途部から延設された一対の平板部（２３、２３）を備え、
これら平板部（２３、２３）は、前記略長方形の下ケース体（２１）の一対の長辺における外周面の上端部のみからそれぞれ略水平方向に延びた平面視略長方形の平板であり、その厚み方向に貫通して帯状部材を通す長孔（２３ｂ）がそれぞれ形成され、
前記磁気発生手段（３）は、上下端に鍔部（４ａ、４ｂ）を設けたスプール部（５）の周面に電線が巻かれた２つのコイルボビン（６、６）と、これらコイルボビン（６、６）それぞれの上鍔部（４ａ）から各上端部（７ａ）が突出した状態で各スプール部（５）内に嵌入される一対の鉄心枝部（１２、１２）を断面略正方形の鉄心胴部（１１）両端に設けた略コ字状の鉄心（７）を備え、
前記２つのコイルボビン（６、６）それぞれの下鍔部（４ｂ）に、前記各スプール部（５）に巻く電線をその巻き始め又は巻き終わりに案内する案内溝が設けられ、
前記２つのコイルボビン（６、６）における隣接した上鍔部（４ａ、４ａ）両方が前記ケース体（２）に内蔵されて嵌合する凹部（１３）と、この凹部（１３）内で一対の磁極孔（８、８）を、前記上ケース体（２２）の磁気作用面（２ａ）側の内面に形成し、
前記鉄心（７）の各鉄心枝部（１２）における突出した上端部（７ａ）を各磁極孔（８）に進入させ、且つ、前記上鍔部（４ａ、４ａ）両方を前記上ケース体（２２）の凹部（１３）の内底面に当接させて、前記磁気作用面（２ａ）の内面側への凹みを、前記コイルボビン（６）及び鉄心（７）で規制していて、
前記鉄心（７）の各鉄心枝部（１２）における突出した上端部（７ａ）を傾斜面で先細り状に形成し、且つ、前記上ケース体（２２）の凹部（１３）内における各磁極孔（８）に開口末広がり状の内周面を形成すると同時に、この各磁極孔（８）の内周面が前記鉄心（７）の各上端部（７ａ）の傾斜面との間に隙間を有していることを特徴とする高ガウス磁気治療器。
【請求項２】
前記磁気発生手段（３）における鉄心（７）の各上端部（７ａ）に形成された頂面（９）が、前記上ケース体（２２）の凹部（１３）における各磁極孔（８）の内底面（１０）に対向し、
前記磁気発生手段（３）における鉄心（７）の各上端部（７ａ）に形成された傾斜面が、前記上ケース体（２２）の凹部（１３）における各磁極孔（８）の内周面に対向していることを特徴とする請求項１に記載の高ガウス磁気治療器。
【請求項３】
前記下ケース体（２１）の内底面の四隅に固定筒体が立設され、
前記上ケース体（２２）に四隅を貫通する固定孔が設けられ、
この固定孔を通る固定手段が、前記下ケース体（２１）の固定筒体に螺合することで、前記上下ケース体（２１、２２）が一体固定されることを特徴とする請求項１又は２に記載の高ガウス磁気治療器。
【手続補正２】
【補正対象書類名】明細書
【補正対象項目名】全文
【補正方法】変更
【補正の内容】
【発明の詳細な説明】
【技術分野】
【０００１】
本発明は、磁気作用面を有するケース体に内蔵された磁気発生手段を備え、磁気によって血行を良くし、人（動物）の健康増進などに用いられるベルト型の高ガウス磁気治療器に関する。
【背景技術】
【０００２】
従来、複数の電磁石を備えて、血液の循環を促進させる電磁気健康促進器が知られている（特許文献１参照）。
この電磁気健康促進器は、複数の電磁石と、複数の電磁石のうちの少なくとも一つの電磁石のコイルに加える電流または電圧を可変し、かつ、複数の電磁石のうちの他の少なくとも一つの電磁石のコイルに一定の強度の電流または電圧を供給し得る磁力制御手段と、磁気発生部分を覆う平面状保護板を有し、当該平面状保護板の内側であって複数の電磁石の磁力が人体に効果的に照射される磁気発生部分の位置に複数の電磁石を配置してなるボックスとを備えている。
【先行技術文献】
【特許文献】
【０００３】
【特許文献１】特開２００４−３２９５８４号公報
【発明の概要】
【発明が解決しようとする課題】
【０００４】
しかしながら、特許文献１に記載された電磁気健康促進器は、面状保護板のボックス内面側と各電磁石との間に配置された面状発熱体と、面状発熱体と各電磁石との間に配置され面状発熱体を覆う断熱材も備えている。
すなわち、この電磁気健康促進器では、電磁石からの磁気は、断熱材、面状発熱体、平面状保護板の３層を透過しなくては人体に届かず、磁力は距離の２乗に反比例するため、磁気発生の効率が、非常に悪い。
更に、特許文献１の電磁気健康促進器では、電磁石とボックス上面部との間に、隙間が存在する（特許文献１の図７、８）。従って、広いボックス上面部に使用者が凭れ掛かる等により、ボックス上面部が凹む虞があり、別途、シールド板が必須となるため、部品点数の増大、高重量化を招く。
【０００５】
本発明は、このような点に鑑み、コイルボビンの鍔部から突出した鉄心一端部をケース体の磁気作用面側の内面に形成された磁極孔に進入させ、且つ、当該鍔部をケース体の内面に当接させて、磁気作用面の凹みを磁気発生手段で規制することで、「磁気発生手段によるケース体の支柱兼用」と「磁気効率の向上」を両立できると共に、突出した鉄心一端部を先細り状に形成し、磁気作用面側の内面の磁極孔を開口末広がり状に形成することで、位置決め許容範囲の拡張も可能となった高ガウス磁気治療器を提供することを目的とする。
【課題を解決するための手段】
【０００６】
本発明に係る高ガウス磁気治療器１は、磁気作用面２ａが設けられたケース体２と、このケース体２に内蔵された磁気発生手段３を有する高ガウス磁気治療器であって、前記ケース体２は、外上面が前記磁気作用面２ａを構成した平面視略長方形の上ケース体２２と前記磁気発生手段３を下支えする平面視略長方形の下ケース体２１で略直方体状に形成され、その厚み方向中途部から延設された一対の平板部２３、２３を備え、これら平板部２３、２３は、前記略長方形の下ケース体２１の一対の長辺における外周面の上端部のみからそれぞれ略水平方向に延びた平面視略長方形の平板であり、その厚み方向に貫通して帯状部材を通す長孔２３ｂがそれぞれ形成され、前記磁気発生手段３は、上下端に鍔部４ａ、４ｂを設けたスプール部５の周面に電線が巻かれた２つのコイルボビン６、６と、これらコイルボビン６、６それぞれの上鍔部４ａから各上端部７ａが突出した状態で各スプール部５内に嵌入される一対の鉄心枝部１２、１２を断面略正方形の鉄心胴部１１両端に設けた略コ字状の鉄心７を備え、前記２つのコイルボビン６、６それぞれの下鍔部４ｂに、前記各スプール部５に巻く電線をその巻き始め又は巻き終わりに案内する案内溝が設けられ、前記２つのコイルボビン６、６における隣接した上鍔部４ａ、４ａ両方が前記ケース体２に内蔵されて嵌合する凹部１３と、この凹部１３内で一対の磁極孔８、８を、前記上ケース体２２の磁気作用面２ａ側の内面に形成し、前記鉄心７の各鉄心枝部１２における突出した上端部７ａを各磁極孔８に進入させ、且つ、前記上鍔部４ａ、４ａ両方を前記上ケース体２２の凹部１３の内底面に当接させて、前記磁気作用面２ａの内面側への凹みを、前記コイルボビン６及び鉄心７で規制していて、前記鉄心７の各鉄心枝部１２における突出した上端部７ａを傾斜面で先細り状に形成し、且つ、前記上ケース体２２の凹部１３内における各磁極孔８に開口末広がり状の内周面を形成すると同時に、この各磁極孔８の内周面が前記鉄心７の各上端部７ａの傾斜面との間に隙間を有していることを第１の特徴とする。
【０００７】
本発明に係る高ガウス磁気治療器１の第２の特徴は、上記第１の特徴に加えて、前記磁気発生手段３における鉄心７の各上端部７ａに形成された頂面９が、前記上ケース体２２の凹部１３における各磁極孔８の内底面１０に対向し、前記磁気発生手段３における鉄心７の各上端部７ａに形成された傾斜面が、前記上ケース体２２の凹部１３における各磁極孔８の内周面に対向している点にある。
【０００８】
本発明に係る高ガウス磁気治療器１の第３の特徴は、上記第１又は２の特徴に加えて、前記下ケース体２１の内底面の四隅に固定筒体が立設され、前記上ケース体２２に四隅を貫通する固定孔が設けられ、この固定孔を通る固定手段が、前記下ケース体２１の固定筒体に螺合することで、前記上下ケース体２１、２２が一体固定される点にある。
【０００９】
又、高ガウス磁気治療器１は、前記２つのコイルボビン６、６で構成された磁気発生手段３を２つ有し、これらの２つの磁気発生手段３、３における隣接した一方の鍔部４〜４全てを嵌合させて位置決め可能な大凹部１４が、前記ケース体２における磁気作用面２ａ側の内面に形成されていて、前記大凹部１４を各凹部１３、１３に仕切るフランジ１５が、前記ケース体２における磁気作用面２ａ側の内面から突出状に形成されている場合もある。
【００１０】
これらの特徴により、磁気発生手段３が、両端に鍔部４、４を設けたスプール部５の周面に電線が巻かれたコイルボビン６と、一方の鍔部４から一端部７ａが突出した状態でスプール部５内に嵌入される鉄心７を備え、鉄心７の突出した一端部７ａをケース体２の磁気作用面２ａ側の内面に形成された磁極孔８に進入させ、且つ、一方の鍔部４を磁気作用面２ａ側の内面に当接させて、磁気作用面２ａの凹みを磁気発生手段３で規制することで、磁気発生手段３を、ケース体２の磁気作用面２ａを支える支柱として兼用できると同時に、鉄心７の一端（磁気の放出端）を、突出した分（磁極孔８に進入した分）だけ、人体により近接させることが可能となって、磁気発生の効率が向上できる。
つまり、「磁気発生手段によるケース体の支柱兼用」と「磁気効率の向上」の両立が実現できる。
更に、鉄心７の突出した一端部７ａを先細り状に形成することで、磁気の放出端からの磁束密度が上がり、その結果、放出される磁力（ガウス）が高まると共に、磁気作用面２ａ側の内面の磁極孔８を開口末広がり状に形成することで、この磁極孔８における傾斜した末広がり状の内周面８ａが、先細り状の鉄心７の突出した一端部７ａにおける傾斜面に沿うこととなる。
従って、磁極孔８が末広がりでない（つまり、磁極孔８の内周面８ａが鉛直方向に向く）、と共に、鉄心７の突出した一端部７ａが先細りでない（つまり、突出した一端部７ａの側面も鉛直方向を向く）場合と比べて、本発明の方が、鉄心７の突出した一端部７ａが磁極孔８に進入させ、且つ、一方の鍔部４を磁気作用面２ａ側の内面に当接した状態を保ったままで、ケース体２に対して磁気発生手段３をずらせる許容範囲が広がることとなり、高ガウス磁気治療器１の組立時の位置決め許容範囲が広がり、組立の容易化が図れる。
【００１１】
又、鉄心７の一端部７ａに形成された頂面９を、磁気作用面２ａ側の内面における磁極孔８の内底面１０に対向させることで、鉄心７の一端部７ａを先細り状にしたとしても、鉄心７の一端部７ａで尖った部分（例えば、頂面９とその他の面を分ける縁部）で、ケース体２の磁気作用面２ａ側を突き抜ける等を抑制できると共に、鉄心７の一端部７ａの頂面９が、対向する磁極孔８の内底面１０に当接して、頂面９と内底面１０との間でも、ケース体２の磁気作用面２ａを支えられる。
【００１２】
そして、磁気発生手段３が、２つのコイルボビン６、６を略コ字状の鉄心７に嵌入させて構成され、２つのコイルボビン６、６の鍔部４、４を位置決め可能な凹部１３が、磁気作用面２ａ側の内面に形成されることで、複数の磁気発生手段３を同時に、支柱兼用位置に配設でき、ケース体２の強度を確保しながら、組立のさらなる容易化が図れる。
【００１３】
尚、２つの磁気発生手段３、３の鍔部４〜４を位置決め可能な大凹部１４を、フランジ１５で、各凹部１３、１３に仕切った場合には、合計４つのコイルボビン６〜６を用いる場合であっても、容易な位置決めが出来ると共に、内面から突出したフランジ１５によって、ケース体２における磁気作用面２ａの強度向上も同時に可能となる。
【発明の効果】
【００１４】
本発明に係る高ガウス磁気治療器によると、コイルボビンの鍔部から突出した鉄心一端をケース体の磁気作用面側の内面に形成された磁極孔に進入させ、且つ、当該鍔部をケース体の内面に当接させて、磁気作用面の凹みを磁気発生手段で規制すると共に、突出した鉄心一端部を先細り状に形成し、磁気作用面側の内面の磁極孔を開口末広がり状に形成することで、「磁気発生手段によるケース体の支柱兼用」と「磁気効率の向上」の両立、及び、ケース体に対する磁気発生手段の位置決め許容範囲の拡張が同時に実現できる。
【図面の簡単な説明】
【００１５】
【図１】（ａ）は第１実施形態の本発明に係る高ガウス磁気治療器を示す斜視図であり、（ｂ）は高ガウス磁気治療器の断面を示す斜視図である。
【図２】（ａ）は第１実施形態の高ガウス磁気治療器の下ケース体と磁気発生手段を示す斜視図であり、（ｂ）は下ケース体に支持された磁気発生手段を示す斜視図である。
【図３】（ａ）は第１実施形態の上ケース体と磁気発生手段を示す斜視図であり、（ｂ）は上ケース体に当接した磁気発生手段を示す斜視図である。
【図４】（ａ）は第２実施形態の高ガウス磁気治療器の下ケース体と磁気発生手段を示す斜視図であり、（ｂ）は下ケース体に支持された磁気発生手段を示す斜視図である。
【図５】（ａ）は第２実施形態の上ケース体と磁気発生手段を示す斜視図であり、（ｂ）は上ケース体に当接した磁気発生手段を示す斜視図である。
【発明を実施するための形態】
【００１６】
以下、本発明の実施形態を、図面を参照して説明する。
＜第１実施形態＞
図１〜３には、第１実施形態の本発明に係る高ガウス磁気治療器１が示されている。
この高ガウス磁気治療器１は、磁気作用面２ａを有したケース体２と、このケース体２に内蔵された磁気発生手段３と、この磁気発生手段３に電流を供給するコード・電線等の供給手段（図示せず）を有している。
【００１７】
＜ケース体２＞
本発明におけるケース体２は、珪素樹脂、ナイロン（ポリアミド）ポリマー等の合成樹脂や、ポリアセタール、ポリカーボネート等のエンジニアリングプラスチックで構成され、その形状は、略直方体状であって、その厚み方向中途部から、略水平方向に平板（後述の平板部２３）が延設されている。更に、ケース体２は、上下分割可能であって、下ケース体２１と上ケース体２２を備えている。
【００１８】
＜下ケース体２１＞
図１、２で示した如く、下ケース体２１は、２つのコイルボビン６、６を有する磁気発生手段３を下方から支える容器状で且つ平面視略長方形の部材であって、その一対の長辺における外側面の上端部から、略水平方向に延びる平板部２３、２３が（前後）一対に設けられている。
この平板部２３も、平面視で略長方形状であって、その角部に厚み方向を貫通する孔（ネジ等が通る丸孔２３ａや、ベルト等の帯状部材が通る長孔２３ｂ）等が設けられていても良い。
【００１９】
下ケース体２１の内底面には、磁気発生手段３、特に、後述する鉄心７の略角柱状の鉄心胴部１１を位置決め保持する（左右）一対の係止片２４、２４が立設されている。
この一対の係止片２４、２４は、それぞれが平面視で略コ字状であって、各係止片２４は、係止片胴部２４ａの両端に設けた係止片枝部２４ｂ、２４ｂが、互い向き合うように配備されている。
従って、これら各係止片２４間に、鉄心胴部１１を載置すれは、磁気発生手段３が所定位置で支持され、つまり、磁気発生手段３が下方に移動しないよう下支えされ、この下支えされた所定位置において、磁気発生手段３上面側の鉄心７の突出した一端部７ａが、上ケース体２２内面の磁極孔８に対応する位置となる。
【００２０】
尚、下ケース体２１の内底面における四隅には、固定筒体が立設しており、上ケース体２２の後述する固定孔に挿通されるネジ等によって、上下ケース体２１、２２が一体固定される。
又、上下ケース体２1 、２２を一体固定するのであれば、これら固定筒体や固定孔、ネジ等の構成に限定されず、嵌め合いや接着等で一体固定しても良い。
【００２１】
＜上ケース体２２＞
図１、３で示した如く、上ケース体２２は、２つのコイルボビン６、６を有する磁気発生手段３の上方に被さる蓋状で且つ平面視略長方形の部材である。
この上ケース体２２の外上面がケース体２における平面状の磁気作用面２ａを構成している。
【００２２】
尚、この  磁気作用面２ａは、必ずしも平面でなくとも良く、使用者の腰部や肩部、腕、脚等の形状にあわせて、窪みが形成された曲面であっても、このような曲面と平面の両方から成る面であっても良い。
この磁気作用面２ａでは、略８字図形が大小で同心状に配置された突条が、磁力線をイメージした模様を形成している。
但し、この模様は、同心円又は一重円のみで構成されたものであったり、形成されていなくても良い。
【００２３】
上ケース体２２の内上底面（つまり、ケース体２における磁気作用面２ａ側の内面）には、磁気発生手段３における鉄心７の突出した一端部７ａがそれぞれ進入可能な（左右）一対の磁極孔８、８が形成されている。
これら各磁極孔８は、底面（内底面１０）が略平坦で略水平である。
更に、磁極孔８は、平面視で略円形であり、この円形の略中心に、下ケース体２１の係止片２４、２４で位置決めされた磁気発生手段３の鉄心７の突出した一端部７ａ（特に、一端部７ａの頂面９）に位置する。
又、磁極孔８の深さは、鉄心７の一端部７ａが、コイルボビン６の一方の鍔部４から突出した長さと、略一致している。
【００２４】
これに加えて、磁極孔８における内周面８ａは、内底面１０から開口端側に近づくほど直径が広がる開口末広がり状（つまり、下方へいくほど直径が広がる下方末広がり状）に形成されている。
この開口末広がり状の内周面８ａは、先細り状の鉄心７の突出した一端部７ａにおける傾斜面に沿うこととなる。
尚、この傾斜面と、内周面８ａの傾斜を略同一としても良い。
【００２５】
更に、上ケース体２２における磁気作用面２ａ側の内面（内上底面）には、２つの磁気発生手段３における２つのコイルボビン６、６の隣接した一方の鍔部４、４両方を嵌合させて位置決め可能な凹部１３も、形成されている。
この凹部１３は、平面視において、略長方形であって、隣接した２つの鍔部４、４両方を外側から囲うように、窪んでいる。
このように窪んだ凹部１３に、隣接した２つの鍔部４、４両方をあてがえば、磁気発生手段３における鉄心７の突出した一端部７ａが、それぞれ磁極孔８に対応する位置となる。
このように、２つのコイルボビン６、６の鍔部４、４を位置決め可能な凹部１３を、磁気作用面２ａ側の内面に形成することで、複数の磁気発生手段３を同時に、位置決め（つまり、支柱兼用位置に配設）でき、ケース体２の強度を確保しながら、組立が容易となる。
【００２６】
尚、上ケース体２２の内上底面には、四隅を貫通する固定孔が設けられており、この固定孔を通るネジ等が、下ケース体２１の固定筒体に螺合することによって、上下ケース体２１、２２が一体固定されることとなる。
当然、上述したように、上下ケース体２１、２２の一体固定は、固定できるのであれば、ネジ等による固定手段に限定されない。
【００２７】
＜磁気発生手段３＞
図１〜３に示したように、本発明における磁気発生手段３は、電磁石である２つのコイルボビン６、６と、この２つのコイルボビン６、６に嵌入される略コ字状の鉄心７を備えている。
【００２８】
＜コイルボビン６＞
磁気発生手段３におけるコイルボビン６は、珪素樹脂、ナイロン（ポリアミド）ポリマー等の合成樹脂や、ポリアセタール、ポリカーボネート等のエンジニアリングプラスチックで構成され、鉄心７を内部に嵌入可能なスプール部５と、同じく合成樹脂で構成され、このスプール部５の両端（上端、下端）に設けられた鍔部４、４と、スプール部５の外周面に巻回された電線を備えている。
コイルボビン６におけるスプール部５は、断面略正方形の角筒状部材であって、この筒内の断面形状・断面積は、鉄心７（鉄心枝部１２）の断面形状・断面積より若干大きいか又は略同一である。
従って、スプール部５が、嵌め合いや両面テープ、接着剤等によって、鉄心７（鉄心枝部１２）に固定されることなる。
尚、スプール部５は、略コ字状の鉄心７を介して、ケース体２に対して、その上下方向にスプール部５の軸心が沿うように配置される。
【００２９】
コイルボビン６における鍔部４は、スプール部５の上下端に一体的に設けられた一対の略正方形の平板状部材であって、各鍔部４は、スプール部５の軸心に直交する、つまり、それぞれの上下面が略水平方向に向くように配設される。
ここで、一対の鍔部４、４のうち、スプール部５の上端に設けられた一方の鍔部４（上鍔部４ａ）は、上述したように、上ケース体２２の内上底面（磁気作用面２ａ側の内面）に当接配置される。
一方、一対の鍔部４、４のうち、スプール部５の下端に設けられた他方の鍔部４（下鍔部４ｂ）は、略コ字状の鉄心７における鉄心胴部１１上面に当接することによって、鉄心７に対するコイルボビン６の位置決めをし、鉄心枝部１２のスプール部５内への嵌入深さ、つまり、上鍔部４からの鉄心７の突出した一端部７ａの突出長さを規定する。
【００３０】
尚、下鍔部４ｂにおいて対応する一対の側端面（前後面、左右面）には、電線をスプール部５に巻き始め又は巻き終りに、その電線を絡げる掛止ピンが設けられていても良く、その掛止ピンに電線を絡げる際に、その電線を案内可能な案内溝が設けられていても良い。
又、掛止ピンは、一対の側端面に所定間隔をおいて、２本ずつ設けられていても良く、この場合には、スプール部５に対して、左右どちらの方向でも巻線が対応可能（巻回しする電線の方向を、右巻きでも左巻きでも可能）となり、作業の自由度が増し、作業工程も軽減した整列巻きが出来る。
【００３１】
更には、掛止ピンが一対の側端面に２本ずつ設けられている場合には、２つの掛止ピンの間（略中間位置）に、電線を引っ掛けて巻く向きを変える凸部を設けていても良い。
これに加えて、掛止ピンが一対の側端面に２本ずつ設けられている場合に、一方の側端面に設けられた２本の掛止ピン間の距離を、他方の側端面に設けられた２本の掛止ピン間の距離より小さく又は大きく設定しても良い。
【００３２】
コイルボビン６における電線は、銅をはじめ、銀、金、アルミ等の電流を流し得るものであれば、素材、線種は何れであっても構わない。
この電線をスプール部５に巻く際には、手巻きや、巻線器等など、何れであっても構わない。尚、巻線器を利用して整列巻回しをする場合には、ある程度電線にテンションをかけて、電線を張った状態でないと綺麗な整列巻きが出来ないため、巻き始め及び巻き終りの電線を、テープで仮止めしたり、上述の掛止ピンに絡げても良い。
【００３３】
＜鉄心７＞
図１〜３に示した如く、磁気発生手段３における鉄心７は、略コ字状に形成されており、略角柱状の鉄心胴部１１と、この鉄心胴部１１の両端（左右両端）に設けられた鉄心枝部１２、１２を備えている。
つまり、長手方向を有する鉄心胴部１１の左右両端から、この鉄心胴部１１の長手方向と直交し且つ上方向に、それぞれの鉄心枝部１２が延伸して、略コ字状（馬蹄状）を成している。
尚、鉄心７は、軟鉄などの薄板を所定の形にくり抜いて、重ね合せて一定の厚みを持たせるように構成されている。
【００３４】
又、各鉄心枝部１２の上端部（突出した鉄心７の一端部）７ａは、先細り状で、その最先端に頂面９を有し、この頂面９から根元に向け徐々に太くなるよう形成されている。
更に、この上端部７ａの形状は、鉄心７の正面視だけでなく、側面視においても、先細るよう構成されている。
そこで、まずは、各鉄心枝部１２の上端部７ａにおける正面視の構成を述べる。
【００３５】
鉄心枝部１２の上端部７ａを正面から見るとは、略平坦で略水平状の頂面９と、この頂面９に連なる垂直面３１と、この垂直面３１の反対側に位置する傾斜部３２を備えている。
上端部７ａにおける垂直面３１は、左右一対の鉄心枝部１２、１２が互いに向かい合う側（内側）に設けられており、鉄心胴部１１の上面両端から上方へ連続して延びる垂直な面である。
【００３６】
上端部７ａにおける傾斜部３２は、左右一対の鉄心枝部１２、１２で互いに向かいあっていない側（外側）に設けられており、この外側から各鉄心枝部１２が近づく側につれて高くなる向きに傾斜している。
更に、傾斜部３２は、各鉄心枝部１２の内側に位置する上段の上傾斜面３３と、この上傾斜面３３より各鉄心枝部１２外側に位置する下段の下傾斜面３４と、これら２つの傾斜面３３、３４の間に位置する平坦面３５を備えている。
【００３７】
尚、上端部７ａを正面から見た際の形状は、上述のように、上傾斜面３３、下傾斜面３４、平坦面３５を備えていなくとも良く、例えば、間の平坦面３５を有さず、上傾斜面３３と下傾斜面３４が連続して１つの傾斜部（傾斜面）３２を構成していたり、上傾斜面３３と平坦面３５だけで傾斜部３２を構成し、下傾斜面３４を有さない場合など、先細り形状であれば、種々の形状を採用できる。
【００３８】
一方、各鉄心枝部１２の上端部７ａにおける側面視では、鉄心７を構成する薄板を、鉄心枝部１２の長いものと短いもの２種類用い、鉄心７の厚み方向（側面視）においても先細るよう構成されている。
つまり、側面視における尖った部分は、鉄心枝部１２が長い薄板を数枚積層したものを、鉄心枝部１２が短い薄板を数枚積層したもので前後から挟むことで、構成している。
尚、この側面視における尖った部分（鉄心枝部１２が長い薄板を数枚積層したものの上端部）の厚みは、当然、鉄心胴部１１など鉄心７における他の部分（鉄心枝部１２が長い積層体を、鉄心枝部１２が短い積層体で挟んだ部分）より薄く、例えば、他の部分の厚みの１／３以上２／３以下となっている。
【００３９】
このように、鉄心７の突出した上端部７ａを先細り状に形成することで、磁気の放出端からの磁束密度が上がり、その結果、放出される磁力（ガウス）が高まる。
つまり、コイルボビン６の電線に通電した際に、鉄心７内に発生した磁束が、尖った上端部７ａから出ていくとき、より狭い空間を通るので、その空間内の磁束密度が高くなって、磁界内での磁力（ガウス）が高くなる。
また、上端部７ａの傾斜した傾斜部３２からは磁力線が放射されず、小さく尖った部分の先端に設けられた頂面９から全ての磁力線が出ていくので、磁力線が小さい面積の頂面９から集中して放射されることでも、磁力が高まる。
尚、コイルボビン６の電線に流す電流は、所定の周波数（例えば、５０Ｈｚ、６０Ｈｚ又はこれら以外の周波数）、振幅の交流電流としても良く、この場合には、コイルボビンからは、周波数によって磁極性が切り替わりながら磁束密度が時間的に変化する交流磁場が発生する。
更に、コイルボビン６の電線に流す電流は、所定の周期で所定値の電流が間欠的に流れるパルス電流、例えば、瞬時に立ち上がりややなだらかに立ち下がるという、三角形状の波形をしたパルス電流を流しても良く、この場合には、正弦波状のなだらかな波形をした交流電流よりも磁束変化が大きくなる。又、パルス電流は、正なら正だけ、負なら負だけの電流が間欠的に発生するので、交流電流のように、正の電流と負の電流が交互に流れる場合よりも、磁束の変化が相殺され難い。
【００４０】
これに加えて、先細り状の鉄心７の突出した上端部７ａは、磁気作用面２ａ側の内面に形成された開口末広がり状の磁極孔８において、傾斜した内周面８ａが、先細り状の鉄心７の突出した上端部７ａにおける傾斜面に沿うこととなる。
従って、磁極孔８が末広がりでない（つまり、磁極孔８の内周面８ａが鉛直方向に向く）、と共に、鉄心７の突出した上端部７ａが先細りでない（つまり、突出した上端部７ａの側面も鉛直方向を向く）場合と比べて、本発明の方が、鉄心７の突出した上端部７ａが磁極孔８に進入させ、且つ、一方の鍔部４を磁気作用面２ａ側の内面に当接した状態を保ったままで、ケース体２に対して磁気発生手段３をずらせる許容範囲が広がることとなり、高ガウス磁気治療器１の組立時の位置決め許容範囲が広がり、組立の容易化が図れる。
【００４１】
尚、鉄心７の突出した上端部７ａの上傾斜面３３を、磁極孔８の内周面８ａの傾斜を略同一とすれば、上端部７ａにおける上傾斜面３３は、磁極孔８の内周面８ａと対向することとなる。
従って、鉄心７の突出した上端部７ａにおける傾斜面を、磁極孔８の内周面８ａに当接でき、ケース体２に対して磁気発生手段３をずらせる許容範囲が、可及的に広がる。
【００４２】
又、鉄心７の上端部７ａに形成された頂面９は、略平坦で略水平であり、磁気作用面２ａ側の内面における磁極孔８の内底面１０も、同様に、略平坦で略水平であるため、上端部７ａの頂面９と、磁極孔８の内底面１０は、対向している。
よって、鉄心７の上端部７ａで尖った部分（例えば、頂面９と上傾斜面３３を分ける縁部）で、ケース体２の磁気作用面２ａ側を突き抜けること等を抑制できると共に、鉄心７の一端部７ａの頂面９が、対向する磁極孔８の内底面１０に当接して、頂面９と内底面１０との間でも、ケース体２の磁気作用面２ａを支えられる。
【００４３】
ここまで述べた構成を持つ本発明は、磁気発生手段３における鉄心７の突出した上端部７ａを、上ケース体２２の磁気作用面２ａ側の内面に形成された磁極孔８に進入させる一方で、これと同時に、上鍔部４ａを、上ケース体２２の磁気作用面２ａ側の内面に当接させるからこそ、磁気作用面２ａの内面側への凹みを、磁気発生手段３で規制できる。
これは、つまり、磁気発生手段３を、ケース体２の磁気作用面２ａを支える支柱として兼用しており、この支柱兼用と同時に、鉄心７の一端（磁気の放出端）を、突出した分（磁極孔８に進入した分）だけ、人体により近接させることが可能となって、磁気発生の効率が向上できる。
つまり、「磁気発生手段によるケース体の支柱兼用」と「磁気効率の向上」の両立が実現できる。
尚、第１実施形態におけるケース体２は、手のひらに乗るサイズであっても良く、この場合、例えば、ケース体２の平板部２３（例えば、厚み方向に貫通する長孔２３ｂ）等に帯状部材を取り付けて（挿通して）ベルト型とすることで、人体の一部（膝、腰、肩など）に当て易く、集中してピンポイントで磁気を部分的に作用させることが容易となる。
【００４４】
＜第２実施形態＞
図４、５には、第２実施形態の高ガウス磁気治療器１が示されている。
この第２実施形態において第１実施形態と最も異なるのは、コイルボビン６の数が、２倍の４つである点である。
詳解すれば、第２実施形態は、２つのコイルボビン６、６を、略コ字状の鉄心７にそれぞれ嵌入させて構成された磁気発生手段３を２つ（２組）有している。
【００４５】
このように、第２実施形態が４つのコイルボビン６（２つの磁気発生手段３）を有するため、第２実施形態では、上ケース体２２で磁気発生手段３を位置決めする凹部が、第１実施形態よりも大きい。
つまり、第２実施形態は、２つの磁気発生手段３における４つのコイルボビン６〜６の前後左右で隣接した一方の鍔部４〜４全てを嵌合させて位置決め可能な大凹部１４が、ケース体２における磁気作用面２ａ側の内面に形成されている。
更に、第２実施形態の大凹部１４には、この大凹部１４自体を、各磁気発生手段３用の各凹部１３に仕切るように形成されたフランジ１５を有している。
【００４６】
＜フランジ１５＞
図５で示した如く、第２実施形態におけるフランジ１５は、２組の磁気発生手段３、３の鍔部４〜４を位置決め可能で且つ平面視で略正方形状の大凹部１４の内底面（磁気作用面２ａ側の内面）から内方突出状に形成されている。
フランジ１５は、所定間隔をあけて形成された一対の突条であって、略正方形状の大凹部１４を略半分に分ける位置に設けられており、略正方形状の（４つの縁部を有した）大凹部１４における１つの縁部１４ａの略中央位置と、当該縁部１４ａに対向する位置にある縁部１４ｂの略中央位置を結んでいる。
このように、大凹部１４を均等に分けることで、合計４つのコイルボビン６を用いる場合であっても、各磁気発生手段３ごとに、容易な位置決めが出来る。
【００４７】
尚、フランジ１５の突出高さは、大凹部１４の深さと略同一であって、フランジ１５の突出端面（下端面）は、上ケース体２２における磁気作用面２ａ側の内面であって大凹部１４以外の部分と略同じ高さ位置（略面一条）である。
このような、フランジ１５があることで、ケース体２の上面（磁気作用面２ａ）に荷重がかかった（下方に向けて押圧された）場合であっても、磁気作用面２ａの下方移動、つまり、内面側への凹みを抑えることが出来る。
【００４８】
よって、第２実施形態は、このフランジ１５によって、４つのコイルボビン６の容易な位置決めと同時に、ケース体２における磁気作用面２ａの強度向上も可能となる。
尚、フランジ１５で大凹部１４を仕切って構成された各凹部１３では、各磁気発生手段３の隣接する上鍔部４ａ、４ａを、各凹部１３（大凹部１４）の縁とフランジ１５にあてがえば、磁気発生手段３における鉄心７の突出した上端部７ａが、各凹部１３のそれぞれの磁極孔８に対応する位置にくる。
【００４９】
図４に示した如く、このフランジ１５の他に、第２実施形態は、下ケース体２１の内底面から大幅に上方へ隆起した上底部４１を備えている。
この上底部４１の上方隆起の度合いによって、ケース体２の厚みを調節でき、例えば、基板に固定されたクッション部材と、このケース体２の厚みを略同じにすることで、高ガウス磁気治療器１を基板に取り付け、その周辺をクッション部材で囲めば（所定の広がりを持ったシートクッション型にすれば）、このクッション部材のクッション面と、磁気作用面２ａが略面一となる。
更に、様々な厚み・大きさのケース体２に、磁気発生手段３を内蔵させる場合であっても、各ケース体２の厚みの差は、上底部４１の隆起によって相殺し、各ケース体２に用いる磁気発生手段３の構成（上下高さ等）を共通化でき、コストの低減に繋がる。
これに加えて、第２実施形態は、各磁気発生手段３（鉄心胴部１１）と下ケース体２１（係止片２４、２４間）に挟まれて配置され、それぞれの磁気発生手段３を上方へ付勢する一対のバネ板４４、４４を有している。
【００５０】
又、図４、５に示した如く、下ケース体２１における対向する側面に、略矩形状に下方に切り込まれた一対の切欠部４２、４２が設けられて、この一対の切欠部４２、４２の上ケース体２２の側面における対応位置に、下方突出した一対の突出片４３、４３が設けられている。
尚、各突出片４３の先端外面には、突出片４３の他の部分より厚い位置から、突出片４３の先端に近づくにつれて厚み方向に先細る鉤部４３ａが設けられて、更に、この鉤部４３ａが、ケース体２の内面側に移動する方向に、各突出片４３は、撓むことが出来る。
【００５１】
従って、上述の切欠部４２、４２に、突出片４３、４３を進入させた状態で、上下ケース体２１、２２を一体固定することで、側面部に出退可能な鉤部４３ａを設けたケース体２を構成できる。
この構成であれば、例えば、このケース体２に嵌合可能な枠や凹みに対して、鉤部４３ａ、４３ａが係止して抜止めとなると同時に、突出片４３、４３を押圧することによって、鉤部４３ａ、４３ａをケース体２の中に押し込み、係止を解除して枠や凹みから取り外すことが出来る。
尚、上述の突出片４３、４３は、その両側の根元から、上ケース体２２の側面を細く切れ込んだ切込みを設けていても良く、この場合、突出片４３が更に撓み、鉤部４３ａの出退距離が長くなる。
【００５２】
又、上述のように、第２実施形態は、嵌合する枠や凹みなどの周囲を、クッション部材としたシートクッション型であっても良く、この場合には、例えば、１つのクッション部材に対して複数の高ガウス磁気治療器１を備えた磁気治療器としたり、高ガウス磁気治療器１を備えたクッション部材を、他のクッション部材（高ガウス磁気治療器１の有無を問わず）を、２つ、３つ又は４つ以上を連結させた磁気治療器としても構わない。
このように、シートクッション型とすることで、人体からの荷重を所定の広さで支えながら、広範囲に亘って人の全身に磁気を作用させることが可能となると共に、高ガウス磁気治療器１を備えたクッション部材等を連結した磁気治療器であれば、床等の平坦面上や椅子やソファなどの形状に応じて変形し、床や椅子等の上に広げることが可能となる。
その他の高ガウス磁気治療器１の構成、作用効果及び使用態様は、第１実施形態と同様である。
【００５３】
本発明は、前述した実施形態に限定されるものではない。高ガウス磁気治療器１等の各構成又は全体の構造、形状、寸法などは、本発明の趣旨に沿って適宜変更することが出来る。
ケース体２は、上述のように、下ケース体２１と上ケース体２２の上下に分割されたが、コイルボビン６の鍔部４から突出した鉄心７の一端部７ａを磁気作用面側２ａ内面の磁極孔８に進入させ、且つ、鍔部４をケース体２の内面に当接させて、磁気作用面２ａの凹みを磁気発生手段３で規制できるのであれば、いずれの構成であっても良く、上面の部分（磁気作用面２ａの部分）のみが、着脱自在であったり、前後方向又は左右方向が開口し、横から磁気発生手段３をケース体２内に入れた後、横蓋で開口を閉じる構成であっても構わない。
【００５４】
磁気発生手段３におけるコイルボビン６は、上述では、２つであったり、合計で４つであるが１つや３つ、更には、５つ以上であっても良い。
鉄心７は、嵌入するコイルボビン６の一方の鍔部４から、突出する部分（一端部７ａ）があるのであれば、略コ字状でなくとも良く、１つのコイルボビン６に嵌入する棒状の鉄心（１本棒）であったり、略Ｅ字状であっても良い。
ケース体２の磁気作用面２ａ側の内面における磁極孔８の内底面１０と、磁気発生手段３における鉄心７の上端部７ａに形成された頂面９は、上述では、対向していたが、コイルボビン６の一方の鍔部４（上鍔部４ａ）が、ケース体２の磁気作用面２ａ側の内面に当接しているため、磁極孔８の内底面１０と、上端部７ａの頂面９は、必ずしも、対向していなくても良い。
ケース体２やコイルボビン６の素材は、合成樹脂、エンジニアリングプラスチックに限らず、上述した構成となるのであれば、繊維強化プラスチック、陶器、木材などの素材でも良い。
【産業上の利用可能性】
【００５５】
本発明に係る高ガウス磁気治療器１は、磁気によって人体の血行を良くするだけでなく、犬や猫等の動物全般などに対しても、磁気によって血行を良くし、人及び動物（ペット）の健康増進を図り、人及び動物用の医療、美容、理容、健康分野に利用できる。
【符号の説明】
【００５６】
１      高ガウス磁気治療器
２      ケース体
２ａ    ケース体の磁気作用面
３      磁気発生手段
４      コイルボビンの鍔部
５      コイルボビンのスプール部
６      コイルボビン
７      鉄心
７ａ    鉄心の突出した一端部
８      磁極孔
９      鉄心の頂面
１０    磁極孔の内底面
１１    鉄心胴部
１２    鉄心枝部
１３    ケース体の内面の凹部
１４    ケース体の内面の大凹部
１５    フランジ